(57)【要約】【課題】左右一対のレンズを使用することにより構成が簡単で、重量の軽量化を図り、装着者の眼の疲れを減少化すると共に、通常の眼鏡の装着者が当該眼鏡と共に本考案品を拡大鏡として二重に装着使用でき、レンズが簡単に損傷、破損したりせず、異種類のレンズを簡単に取り替えでき、老眼鏡としても使用できる眼鏡型拡大鏡を提供すること。【解決手段】テンプル１０の前端部には、平面視において逆向きの略コ字状に一体形成された前部フレーム４０の後端部を枢着して、該テンプル１０を回動かつ折り畳み可能とし、前部フレーム４０の後面には、左右一対のレンズ２１、２２を近接して嵌装したレンズフレーム２０を溶着し、前部フレーム４０の中央部には、左右一対のレンズ２１、２２の内側端部同士の後方位置に跨るように離間距離が長く、かつ下り勾配の鼻パット保持部材３１を吊設し、この鼻パット保持部材３１の先端部に鼻パット３０を設けてある。レンズフレーム２０には、異なるレンズを取り替えできるように着脱部材５０を設けてある。  【選択図】図１
0003159824.tif 000002
【実用新案登録請求の範囲】
【請求項１】
テンプルと、レンズを嵌装したレンズフレームと、鼻パットとを少なくとも備えた眼鏡型拡大鏡であって、
前記テンプルの前端部には、平面視において逆向きの略コ字状に一体形成された前部フレームの後端部を枢着して、該テンプルを回動かつ折り畳み可能とするとともに、
前部フレームの後面には、左右一対のレンズを近接して嵌装したレンズフレームを溶着し、
前部フレームの中央部には、左右一対のレンズの内側端部同士の後方位置に跨るように離間距離が長く、かつ下り勾配の鼻パット保持部材を吊設し、
この鼻パット保持部材の先端部に鼻パットを設けてあることを特徴とする眼鏡型拡大鏡。  
【請求項２】
前記レンズフレームには、異なるレンズを取り替えできるように着脱部材を設けてある請求項１に記載の眼鏡型拡大鏡。
【考案の詳細な説明】
【技術分野】
【０００１】
本考案は、左右両眼のレンズを有する眼鏡式の拡大鏡に関する。
【背景技術】
【０００２】
周知の単眼型眼鏡ルーペは、片手で把手を把持して、例えば小さな字を見たり、手指にささったとげを抜き取る際等の拡大してみる場合等には便利であるが、これは一時的に使用するもので、読書用や老眼用その他用に長時間に亘り使用する場合には不向きであった。
【０００３】
これを改良するものとして、左右の両眼をカバーするように左右に長くした単眼１個のレンズと、このレンズの左右両側に止着したフレームとからなる単眼式眼鏡型の拡大鏡が市販されている。
【０００４】
しかし、この単眼式眼鏡型の拡大鏡は、横長の大きなレンズを使用しているので重量が重いと共に、該レンズの左右両側にフレームを止着するため、衝撃に弱くレンズが損傷、破損したり、異種類のレンズを取り替えことはできなかった。
【０００５】
さらに、両眼式の拡大鏡として、特開２００１−３５０１２３号公報（特許文献１）に記載された拡大鏡付き眼鏡も知られている。  
【０００６】
この特許文献１の拡大鏡付き眼鏡は、手術等の細かい手作業を行う際に使用されるものであって、ツルと、レンズを嵌装したリムと、両リムを連結した連結部材と、リムの外側に結合したヨロイとからなる通常の眼鏡を有し、この眼鏡のフロント部からリンク体を延設し、該リンク体の先端には両側へ延びるアームを取着し、このアームに左右一体の拡大鏡を取り付けると共に、両拡大鏡間距離を自由に変更できるようにしたものである。
【０００７】
この特許文献１によれば、前述の単眼型眼鏡ルーぺの有する問題点を解消できる。また、前記単眼式眼鏡型の拡大鏡の有する拡大鏡のレンズが破損するのは解消できるものの、拡大鏡自体の重量が重たいことや、異種類のレンズを取り替えことはできなかった。
【先行技術文献】
【特許文献】
【０００８】
【特許文献１】特開２００１−３５０１２３号公報
【考案の概要】
【考案が解決しようとする課題】
【０００９】
しかしながら、前記特許文献１の拡大鏡付き眼鏡は、通常の眼鏡を装着している外科医等が手術を行なう場合には、当該眼鏡にリンク体を介して拡大鏡を装着するだけでよいので、極めて便利であるが、医療現場等で使う特殊な拡大鏡であって、我々が日常生活等で一般的に使用するものではなかった。
【００１０】
また、この拡大鏡は、リンク体、アーム、左右一体の拡大鏡を左右に移動させる止めネジなど多数の構成部品を必要とするため、部品代が高価となるばかりか、重量も重いものであった。
【００１１】
さらに、例えば倍率の異なる異種類のレンズを取り替えることはできなかった。
【００１２】
本考案は、上記従来の問題を解消するために案出したものであって、左右一対のレンズを使用することによって構成が簡単で、重量の軽量化を図ると共に、装着者の眼の疲れを減少化すると共に、通常の眼鏡の装着者が当該眼鏡と共に本考案品を拡大鏡として二重に装着して使用できる上に、レンズが簡単に損傷、破損したりしないようにし、さらに異種類のレンズを簡単に取り替えでき、老眼鏡としても使用できる眼鏡型拡大鏡を提供することを目的とする。
【課題を解決するための手段】
【００１３】
上記目的を達成するため、本考案の請求項１の眼鏡型拡大鏡は、テンプルと、レンズを嵌装したレンズフレームと、鼻パットとを少なくとも備えた眼鏡型拡大鏡であって、前記テンプルの前端部には、平面視において逆向きの略コ字状に一体形成された前部フレームの後端部を枢着して、該テンプルを回動かつ折り畳み可能とするとともに、前部フレームの後面には、左右一対のレンズを近接して嵌装したレンズフレームを溶着し、前部フレームの中央部には、左右一対のレンズの内側端部同士の後方位置に跨るように離間距離が長く、かつ下り勾配の鼻パット保持部材を吊設し、この鼻パット保持部材の先端部に鼻パットを設けてあることを特徴とする。
【００１４】
また、請求項２の眼鏡型拡大鏡は、前記レンズフレームには、異なるレンズを取り替えできるように着脱部材を設けてあることを特徴とする。
【００１５】
ここで、「異なるレンズ」とは、例えば倍率の異なるレンズのことである。また、「着脱部材」とは、ネジ止め部材が好ましいが、係合方式や嵌合方式による構成も挙げられる。
【考案の効果】
【００１６】
本考案の請求項１の眼鏡型拡大鏡によれば、平面視において逆向きの略コ字状に一体形成された前部フレームの後端部に、テンプルの前端部を回動かつ折り畳み可能に枢着し、前部フレームの後面には、左右一対のレンズを近接して嵌装したレンズフレームを溶着し、前部フレームの中央部には、左右一対のレンズの内側端部同士の後方位置に跨るように離間距離が長く、かつ下り勾配の鼻パット保持部材を吊設し、この鼻パット保持部材の先端部に鼻パットを設けてあることから、構成が簡単で、重量が軽く、装着者の眼の疲れも減少されると共に、通常の眼鏡装着者が当該眼鏡と共に本考案品を拡大鏡として二重に装着して使用できる上に、レンズが簡単に損傷、破損したりしないようにし、老眼鏡としても使用できる。
【００１７】
請求項２の眼鏡型拡大鏡によれば、前記レンズフレームには、異なるレンズを取り替えできるように着脱部材を設けてあるから、倍率の異なる異種類のレンズを取り替えできるため非常に便利である。装着者の度数に応じて視力補正用の老眼鏡としても使用できる。
【図面の簡単な説明】
【００１８】
【図１】本考案に係る眼鏡型拡大鏡の実施例１の全体解斜視図である。
【図２】図１の正面図である。
【図３】図２の右側面図である。
【図４】図２の平面図である。
【図５】図４のＶ―Ｖ線に沿う部分断面図である。
【図６】通常の眼鏡と共に、本考案に係る眼鏡型拡大鏡を装着した使用例を示す説明図である。
【考案を実施するための形態】
【００１９】
本考案の好ましい実施形態を図１〜図５に基づいて以下に説明する。
この眼鏡型拡大鏡１は、テンプル１０と、レンズ２１、２２を嵌装したレンズフレーム２０と、鼻パット３０とを少なくとも備えた眼鏡型拡大鏡であって、前記テンプル１０の前端部には、平面視において逆向きの略コ字状に一体形成された前部フレーム４０の後端部を枢着して、該テンプル１０を回動かつ折り畳み可能とするとともに、前部フレーム４０の後面には、左右一対のレンズ２１、２２を近接して嵌装したレンズフレーム２０を溶着し、前部フレーム４０の中央部には、左右一対のレンズ２１、２２の内側端部同士の後方位置に跨るように離間距離が長く、かつ下り勾配の鼻パット保持部材３１を吊設し、この鼻パット保持部材３１の先端部に鼻パット３０を設けてある。そして、前記レンズフレーム２０には、異なるレンズを取り替えできるように着脱部材５０を設けてある。
【００２０】
前述した実施の形態の詳細は、以下に詳しく説明する実施例１を参照するとよい。
【実施例１】
【００２１】
本考案の実施例１を図１〜図５に基づいて以下に詳説する。
前記テンプル１０は、後部には通常の眼鏡と同様に耳掛け部１１が形成されていると共に、該テンプル１０の前端部は前述の前部フレーム４０の後端部に対して蝶番６０で回動かつ折り畳み可能に枢着してある。このテンプル１０の素材としては、本実施例では金属製であるが、合成樹脂製でもよく、本考案では材質は適宜採用できる。
【００２２】
レンズフレーム２０は、左右一対のレンズ２１、２２が近接してそれぞれ嵌装されるように、略方形状の枠部２３、２４が形成されている。そして、この枠部２３、２４にレンズ２１、２２を嵌装して、着脱部材５０であるねじ５１で止着してある。このように、レンズ２１、２２は着脱部材５０（ねじ５１）で着脱できるようにしてあるため、異なるレンズが任意に取り替えできる利点がある。勿論、上記着脱部材５０で着脱しない構成も採用することもできる。
【００２３】
このレンズフレーム２０は、本実施例では金属製であるので、前部フレーム４０の後面に当接して溶着してある。しかし、レンズフレーム２０が合成樹脂製の場合には、枠部２３、２４に嵌状凹部（図示せず）を形成し、この嵌状凹部（図示せず）にレンズ２１、２２を嵌入させる構成を採用することもできる。この場合、前記嵌状凹部が着脱部材となる。
【００２４】
また、左右一対のレンズ２１，２２（つまりレンズフレーム２０の枠部２３、２４同士）は、近接して設けてある。通常の眼鏡のように一対のレンズ（つまりレンズフレーム同士）を離間して設けると、フレームが見えてよくないからである。
【００２５】
レンズとしては、ガラス又は合成樹脂の材料からなる光学用レンズを使用しているので、文字等の歪みが少ない。合成樹脂の材料で製造する場合には、精度の高い射出成形法で製品化している。
【００２６】
前記鼻パット保持部材３１は、本実施例では、金属製であって、その上端部を前部フレーム４０の中央部に溶着して、前記レンズ２１，２２の内側端部同士の後方位置に跨るように離間距離が長く、しかも下り勾配にて突出して吊設している。この鼻パット保持部材３１の先端部に鼻パット３０を設けている。
【００２７】
このように、鼻パット保持部材３１は離間距離を長く、かつ下り勾配で吊設しているので、通常の眼鏡をかけたままでも本考案の眼鏡型拡大鏡が使用できる（図６参照）。
なお、レンズフレーム２０のレンズ２１，２２から装着者の眼までの距離は、４〜８ｃｍ程度で見ることができる。
【００２８】
鼻パット３０は、本実施例では、合成樹脂で一体成形された逆Ｖ字状の一体成形品を用い、その下部を鼻パット保持部材３１の下端部にねじ等で結合している。 
【００２９】
なお、鼻パット３０は、通常の眼鏡で使用されているように分離型を使用することもできる。
【００３０】
着脱部材５０として、本実施例では、ねじ５１を使用しているが、その他の構成を採用することもできる。
【００３１】
本考案の眼鏡型拡大鏡は、装着者の両耳にテンプル１０、１０の耳掛け部１１、１１を掛けるだけで、拡大鏡として、又は老眼鏡として使用することができる。
【００３２】
また、図６に示すように、装着者Ｍが、通常の眼鏡１００と共に、本考案に係る眼鏡型拡大鏡１を装着して使用することもできる。
なお、図６でＮは装着者の鼻である。   
【符号の説明】
【００３３】
１          眼鏡型拡大鏡
１０        テンプル
１１        耳掛け部
２０        レンズフレーム
２１、２２  レンズ  
３０        鼻パット
３１        鼻パット保持部材
４０        前部フレーム
５０        着脱部材                
５１        ねじ
Ｍ         装着者
１００      眼鏡
【図１】
0003159824.tif 000003
【図２】
0003159824.tif 000004
【図３】
0003159824.tif 000005
【図４】
0003159824.tif 000006
【図５】
0003159824.tif 000007
【図６】
0003159824.tif 000008